(57)【要約】【課題】  著作権保護すべきコンテンツの不正な再生を防ぐことが可能な装置を提供する。【解決手段】  記録媒体（１１３）にコンテンツの記録履歴をコンテンツとともに記録し再生する記録再生回路（１１０、１１１）と、前記記録媒体から前記媒体ＩＤを読み出し、前記媒体ＩＤとその記録媒体に記録されたコンテンツの記録履歴とを記憶する情報管理回路（１２２）と、制御回路（１２１）を備え、制御回路は、装着された記録媒体から再生された、その記録媒体に記録されたコンテンツの記録履歴と、情報管理回路から読み出された、記録媒体から読み出した媒体ＩＤから参照したその記録媒体に記録されたコンテンツの記録履歴とを比較し、一致した場合は、再生動作を許可し、一致しない場合は、再生動作を許可しないよう制御するようにする。【選択図】  図１
2006024296.tif 000002
【特許請求の範囲】
【請求項１】
他の記録媒体と識別する媒体ＩＤを予め割り当てられた記録媒体に、コンテンツを記録し再生するコンテンツ記録再生装置において、
前記記録媒体に記録されたコンテンツの記録履歴を前記コンテンツとともに前記記録媒体に記録し再生する記録再生部と、
前記媒体ＩＤとその記録媒体の記録履歴とを記憶する情報管理部と、
装着された記録媒体に記録された記録履歴と、前記記録媒体に予め割り当てられた前記媒体ＩＤから参照した前記情報管理部に記憶されている、その記録媒体の記録履歴とを比較し、一致した場合は、再生動作を許可し、一致しない場合は、再生動作を許可しないよう制御する制御部と、
を有することを特徴とするコンテンツ記録再生装置。
【請求項２】
請求項１に記載されたコンテンツ記録再生装置において、
前記コンテンツを暗号化して記録媒体に記録し、装着された記録媒体に予め割り当てられた媒体ＩＤが前記情報管理部に記録された媒体ＩＤと一致した場合に、暗号化されたコンテンツを復号化することを特徴とするコンテンツ記録再生装置。
【請求項３】
請求項１に記載されたコンテンツ記録再生装置において、
前記コンテンツを暗号化し、自コンテンツ記録再生装置を他のコンテンツ記録再生装置と識別する装置ＩＤとともに記録媒体に記録し、装着された記録媒体に記録された装置ＩＤが自コンテンツ記録再生装置の装置ＩＤと一致した場合に、暗号化されたコンテンツを復号化することを特徴とするコンテンツ記録再生装置。
【請求項４】
請求項１乃至３のいずれかに記載のコンテンツ記録再生装置において、
前記記録媒体はハードディスクで構成されることを特徴とするコンテンツ記録再生装置。
【請求項５】
他の記録媒体と識別する媒体ＩＤを予め割り当てられた記録媒体に記録されたコンテンツの記録履歴と、前記コンテンツを識別するコンテンツＩＤとを、前記コンテンツとともに前記記録媒体に記録し再生する記録再生部と、
前記媒体ＩＤ、前記コンテンツＩＤ及び前記記録履歴を記憶する情報管理部と、
装着された記録媒体に記録されたコンテンツＩＤと記録履歴とが、前記情報管理部に記録されたコンテンツＩＤと記録履歴とにそれぞれ一致している場合に、装着された記録媒体に予め割り当てられた媒体ＩＤが、前記情報管理部に記録された媒体IDと一致したとき、装着された記録媒体に記録されたコンテンツの再生動作を許可し、一致しないとき、前記再生動作を許可しないよう制御する制御部と、
を有することを特徴とするコンテンツ記録再生装置。
【請求項６】
他の記録媒体と識別する媒体ＩＤと、記録されたコンテンツの記録履歴と、前記コンテンツを識別するコンテンツＩＤとを、前記コンテンツとともに記録媒体に記録し再生する記録再生部と、
前記媒体ＩＤ、前記コンテンツＩＤ及び前記記録履歴を記憶する情報管理部と、
装着された記録媒体に記録されたコンテンツＩＤと記録履歴とが、前記情報管理部に記録されたコンテンツＩＤと記録履歴とにそれぞれ一致している場合に、装着された記録媒体に記録された媒体ＩＤが、前記情報管理部に記録された媒体IDと一致したとき、装着された記録媒体に記録されたコンテンツの再生動作を許可し、一致しないとき、前記再生動作を許可しないよう制御する制御部と、
を有することを特徴とするコンテンツ記録再生装置。
【請求項７】
請求項１乃至６のいずれかに記載のコンテンツ記録再生装置において、
前記記録履歴は、前記記録再生部が前記コンテンツを記録した記録時間であることを特徴とするコンテンツ記録再生装置。
【請求項８】
請求項１乃至６のいずれかに記載のコンテンツ記録再生装置において、
前記記録履歴は、前記コンテンツを他の記録媒体へコピーしたことを含むことを特徴とするコンテンツ記録再生装置。
【請求項９】
請求項１乃至６のいずれかに記載のコンテンツ記録再生装置において、
前記制御部は、前記情報管理部に媒体IDが記録されていない場合、その媒体IDが割り当てられた記録媒体に記録されたコンテンツの再生動作を許可しないことを特徴とするコンテンツ記録再生装置。
【発明の詳細な説明】
【技術分野】
【０００１】
本発明は、コンテンツの記録及び／又は再生を行う記録再生装置に関する。
【背景技術】
【０００２】
「１つの記録媒体から複製を行い、複数の複製された記録媒体を作成できないようにする」（特許文献１の要約の課題）ため、「情報記録装置を識別可能とする装置ＩＤ・・・と、記録媒体３００を識別可能とする媒体ＩＤとを、・・・コンテンツとともに記録媒体に記録」し、「コンテンツが情報記録装置で記録された記録媒体と同一の記録媒体に記録されていると確認できた場合のみ、コンテンツの再生が可能」（特許文献１の要約の解決手段）とするものがある。
【０００３】
【特許文献１】特開２００２−１３２４５７号公報
【発明の開示】
【発明が解決しようとする課題】
【０００４】
しかしながら、上記背景技術は、コンテンツの記録履歴を用いて、記録及び／又は再生の制限を行うものではない。
【０００５】
そこで、本発明の課題は、記録履歴を用いて、記録及び／又は再生の制限を行なうことにより、著作権保護を図ることである。
【課題を解決するための手段】
【０００６】
上記課題は、以下の解決手段により、解決される。
【０００７】
本発明の第一の解決手段は、記録媒体へ記録履歴を記録するとともに、記録再生装置に該記録媒体への記録履歴を記録し、それらの記録履歴が一致している場合に再生動作を許可し、一致していない場合に再生動作を許可しないようにすることである。
【０００８】
また、本発明の第二の解決手段は、コンテンツの記録履歴が一致している場合に、記録媒体が異なるときには再生動作を許可しないようにすることである。
【０００９】
なお、ここで、記録履歴は、コンテンツを記録した記録時間であったり、コンテンツを他の記録媒体へコピーしたことなどであったりする。また、記録時間とは、記録した日付や時刻などある。
【発明の効果】
【００１０】
本発明によれば、著作権保護すべきコンテンツの不正な再生を防ぐことが可能な装置を提供できる。
【発明を実施するための最良の形態】
【００１１】
以下本発明によるコンテンツ記録再生装置の実施形態について説明する。
【実施例１】
【００１２】
図１は本発明によるコンテンツ記録再生装置の一実施形態を示すブロック図である。図１において、１はコンテンツ入力端子、１１０はバッファ制御回路、１１１０はバッファ、１１３は記録媒体、１１３１は他の媒体と識別する、例えば、製造シリアル番号等の、記録媒体１１３に予め割り当てられた媒体ＩＤ、２はコンテンツ出力端子、１２１は制御回路、１２２は例えばメモリを含み構成される情報管理回路である。なお、コンテンツは、例えば、映画やＴＶ番組などである。
【００１３】
制御回路１２１は、まず、記録媒体１１３の媒体ＩＤ１１３１を読み出し、情報管理回路１２２で管理される管理情報から、その記録媒体１１３が登録済みであるかどうかを判断する。
【００１４】
登録済みの場合は、その媒体ＩＤで参照される記録履歴を読み出すとともに、制御回路１２１は、記録媒体１１３に記録されている記録履歴を読み出し、情報管理回路１２２から読み出した記録履歴とを比較する。比較の結果、一致しない場合は、その記録媒体１１３からのコンテンツの再生を行わないように制御回路１２１が制御する。登録未の場合は、情報管理回路１２２に新たな管理対象として登録する。
【００１５】
図２は情報管理回路１２２で管理される情報の一実施形態を示す図である。管理される情報としては、記録媒体の媒体ＩＤと、例えば、記録を終了した日付や時刻などの記録時間、ファイルシステムのディレクトリ情報等、記録媒体に記録されたコンテンツの記録経過に関する情報である記録履歴との組である。すなわち、情報管理回路１２２では、記録ＩＤと記録履歴を対応させて記録し、管理している。なお、記録履歴は、記録されたコンテンツを他の記録媒体へコピーしたときにも記録履歴として記録される。また、着脱可能な記録媒体が複数の場合、その組が複数管理される。図２では、媒体ＩＤが0020abcdである記録媒体にコンテンツが記録された記録時間は、2003年9月22日19時29分59秒である旨が情報管理回路１２２に記録されている。なお、（１）9月22日、（２）19時29分、（３）9月22日19時などに記録された旨を記録履歴とするようにしても良く、管理の容易さと正確さとのバランスにより決定される。
【００１６】
図１において、コンテンツ入力端子１から入力されたコンテンツは、バッファ制御回路１１０を介してバッファ１１１０に一旦格納された後、再度バッファ制御回路を介して、記録媒体１１３に記録される。制御回路１２１は、例えば、記録終了時の時刻を情報管理回路１２２の該当する記録媒体媒体ＩＤの記録履歴として、登録済みの記録媒体の場合は、前回の記録履歴を上書きし、新規登録の記録媒体の場合は、新たに記録する。
【００１７】
前述のように、記録媒体１１３の記録履歴が情報管理回路１２２で管理する記録履歴と一致した場合は、再生可能となる。記録媒体１１３から再生されたコンテンツは、バッファ制御回路１１０により一旦バッファ１１１０に格納される。その後、バッファ制御回路１１０により、コンテンツ出力端子２から出力される。
【００１８】
以上のように、情報管理回路１２２に対し、その記録媒体の媒体ＩＤと、記録履歴との組を記憶させるとともに、記録媒体１１３にも同じ記録履歴を記録し、記録媒体１１３からコンテンツを再生する際には、まず、記録媒体１１３からその媒体ＩＤと、記録履歴を読み出すとともに、情報管理回路１２２から、記録媒体１１３から読み出した媒体ＩＤから参照して記録履歴を読み出して、記録媒体１１３から読み出した記録履歴と、情報管理回路１１２から読み出した記録履歴とを比較し、一致している場合には、その後の再生要求に対して、その記録媒体１１３からのコンテンツの再生動作を許可し、一致していない場合には、その記録媒体１１３からの再生動作を行わないようにする。従って、不正にコピーされた記録媒体の利用を阻止でき、コンテンツの著作権保護が可能になる。
【００１９】
例えば、近年、コンテンツにコピーが一回しかできないコピー制限がなされていても、着脱式のハードディスクに記録されているコンテンツを、別のハードディスクにコピー制限を無視してコピーすることができる。従って、従来は、別のハードディスクにコンテンツをコピーした上で、ハードディスクを元の記録再生装置に戻してコピーし、再度、別のハードディスクにコピーされたコンテンツをコピーするようにすれば、コピー制限に関係なく複数のコピーが可能となってしまっていた。しかし、本実施例を適用すれば、ハードディスクを元の記録再生装置に戻してコピーしたときに、記録再生装置の情報管理回路１２２に記録された記録履歴が変更されるので、再度、別のハードディスクにコピーされたコンテンツをコピーしたときには、コンテンツに記録された記録履歴と情報管理回路１２２に記録された記録履歴が一致せずに、コンテンツの再生できず、著作権保護が可能になる。
【００２０】
また、記録媒体の媒体ＩＤを関連つけるので、複数の記録媒体１１３に対して効果がある。
【００２１】
ここで、例えば、記録媒体１１３が始めて利用される場合や、他の記録再生装置で記録された記録媒体１１３が装着された場合、未登録の記録媒体として扱うことになる。この場合、図示しないが、利用者に対し、この装着された記録媒体が未登録の記録媒体であり、新たに登録するかどうかを促す指示を出してもよい。
【実施例２】
【００２２】
図３は本発明による記録再生装置の一実施形態を示すブロック図である。図３において、１００は記録再生装置、１０１は映像信号入力端子、１０２は、音声信号入力端子、１０３は映像信号Ａ／Ｄコンバータ、１０４は音声信号Ａ／Ｄコンバータ、１０５はコピー制限情報検出回路、１０７は映像信号圧縮回路、１０８は音声信号圧縮回路、１０９はシステムエンコーダ、１１０はバッファ制御回路、１１１は記録用バッファ、１１２は再生用バッファ、１１３は記録媒体、１１４はシステムデコーダ、１１５は映像信号伸張回路、１１６は音声信号伸張回路、１１７は映像信号Ｄ／Ａコンバータ、１１８は音声信号Ｄ／Ａコンバータ、１１９は映像信号出力端子、１２０は音声信号出力端子、１２１は制御回路、１２２は例えばメモリを含み構成される情報管理回路である。
【００２３】
映像信号入力端子１０１から入力されたコンテンツの映像信号は、映像信号Ａ／Ｄコンバータ１０３においてディジタル信号に変換され、コピー制限情報検出回路１０５に入力されるとともに、映像信号圧縮回路１０７に入力される。コピー制限情報検出回路１０５では、例えば、映像信号の垂直帰線区間に重畳されているコピー制限情報を検出する。コピー制限情報としては、コピー可、一世代コピー可、コピー禁止の意味を持つ情報であり、コピー禁止の場合は、以下の動作は行わない。
【００２４】
映像信号圧縮回路１０７では、例えば、映像圧縮符号化方式としてＩＳＯ／ＩＥＣ１３８１８−２（通称ＭＰＥＧ２Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。その他、映像圧縮符号化方式としては、特に限定するものではなく、ＪＰＥＧ規格方式などでもよい。生成した圧縮符号化映像データは、システムエンコーダ１０９に入力される。
【００２５】
また、音声信号入力端子１０２から入力された音声信号は音声信号Ａ／Ｄコンバータ１０４において所定のサンプリングレートによりアナログ／ディジタル変換が行われる。ディジタル信号に変換された音声信号は、音声信号圧縮回路１０８に入力される。音声信号圧縮回路１０８では、例えば、音声圧縮符号化方式としてＩＳＯ／ＩＥＣ１３８１８−１（通称ＭＰＥＧ２Ａｕｄｉｏ）規格に準拠した圧縮符号化データを生成する。生成した圧縮符号化音声データは、システムエンコーダ１０９に入力される。音声圧縮符号化方式についても特に限定するものではない。
【００２６】
システムエンコーダ１０９に入力された圧縮符号化映像データおよび圧縮符号化音声データは、それぞれパケット化、および多重化され、一本のシステムストリームに変換された後、バッファ制御回路１１０を介して記録用バッファ１１１に入力される。システムストリームには、付加情報として、元映像のサイズ、縦横比、システムストリーム中の圧縮符号化映像データおよび圧縮符号化音声データのビットレート等が追加される。
【００２７】
記録用バッファ１１１に蓄積されたシステムストリームは、バッファ制御回路１１０を介して記録媒体１１３に記録される。記録媒体１１３は着脱可能なハードディスクで構成される。
【００２８】
記録媒体１１３には、例えば製造シリアル番号のような、予め割り当てられた媒体ＩＤが格納されており、記録再生装置１００に装着された時点で、制御回路１２１が記録媒体１１３から読み出す。
【００２９】
また、制御回路１２１は、例えば記録が終了した時点で、情報管理回路１２２に対し、その記録媒体の媒体ＩＤと、例えばその時刻やファイルシステムのディレクトリ情報などの記録履歴の組を記憶させるとともに、記録媒体１１３にも同じ記録履歴を記録する。
【００３０】
記録媒体１１３からシステムストリームを再生する際には、まず制御回路１２１が、記録媒体１１３からその媒体ＩＤと、記録履歴を読み出す。また、制御回路１２１は、情報管理回路１２２から、記録媒体１１３から読み出した媒体ＩＤから参照して記録履歴を読み出す。
【００３１】
制御回路１２１は、記録媒体１１３から読み出した記録履歴と、情報管理回路１１２から読み出した記録履歴とを比較し、一致している場合には、その後の再生要求に対して、その記録媒体１１３からのシステムストリームの再生動作を許可する。一致していない場合には、その記録媒体１１３からの再生動作を行わない。
【００３２】
記録履歴の比較の結果、一致している場合、記録媒体１１３から再生されるシステムストリームは、バッファ制御回路１１０を介して再生用バッファ１１２に格納される。さらに、バッファ制御回路１１０を介してシステムデコーダ１１４に入力される。システムデコーダ１１４に入力されたシステムストリームは、圧縮符号化映像データ、および圧縮符号化音声データのパケットにそれぞれ分離され、各々のパケットから取り出した圧縮符号化映像データは、映像信号伸張回路１１５に、また圧縮符号化音声データは、音声信号伸張回路１１６に入力される。映像信号伸張回路１１５で圧縮符号化映像データの伸張が施された後、映像信号が映像信号Ｄ／Ａコンバータ１１７に、音声信号が音声信号Ｄ／Ａコンバータ１１８に入力され、アナログ信号に変換され、映像信号出力端子１１９、音声信号出力端子１２０から出力される。
【００３３】
なお、記録用バッファ１１１、および再生用バッファ１１２は、例えば半導体メモリで構成され、それぞれ別個の半導体チップで構成してもよいし、同一の半導体チップ上で、その記憶領域を分けて実現してもよい。
【００３４】
以上のように、情報管理回路１２２に対し、その記録媒体の媒体ＩＤと、記録履歴の組を記憶させるとともに、記録媒体１１３にも同じ記録履歴を記録し、記録媒体１１３からシステムストリームを再生する際には、まず、記録媒体１１３からその媒体ＩＤと、記録履歴を読み出すとともに、情報管理回路１２２から、記録媒体１１３から読み出した媒体ＩＤから参照して記録履歴を読み出して、記録媒体１１３から読み出した記録履歴と、情報管理回路１１２から読み出した記録履歴とを比較し、一致している場合には、その後の再生要求に対して、その記録媒体１１３からのシステムストリームの再生動作を許可し、一致していない場合には、その記録媒体１１３からの再生動作を行わないようにした。従って、不正にコピーされた記録媒体の利用を阻止でき、ディジタル情報の著作権保護が可能になる。
【００３５】
また、記録媒体の媒体ＩＤを関連つけるので、複数の記録媒体１１３に対して効果がある。
【実施例３】
【００３６】
図４は本発明による記録再生装置の他の実施形態を示すブロック図である。ここでは、図示しているが、まずは、説明に必要ないため、ディジタル放送信号入力端子１４１、ディジタルチューナ１４２、コンテンツ切り換えスイッチ１３３、記録媒体１１３ｃの説明を省略する。
【００３７】
図４において、１０６１は映像信号切り換えスイッチ、１０６２は音声信号切り換えスイッチ、１１１ａおよび１１１ｂは記録用バッファ、１１２ａおよび１１２ｂは再生用バッファ、１２２１および１２３１は暗号回路、１２２２および１２３２は復号回路、１１３ａは、例えば着脱可能なハードディスクのような記録媒体、１１３ｂは例えば光ディスクなどの記録媒体である。
【００３８】
まず、記録媒体１１３ａへの記録、および再生の動作について示す。映像信号入力端子１０１から入力されたコンテンツの映像信号は、映像信号Ａ／Ｄコンバータ１０３においてディジタル信号に変換され、映像信号切り換えスイッチ１０６１を介して、映像信号圧縮回路１０７に入力される。映像信号圧縮回路１０７で生成した圧縮符号化映像データは、システムエンコーダ１０９に入力される。
【００３９】
また、音声信号入力端子１０２から入力された音声信号は、音声信号Ａ／Ｄコンバータ１０４においてディジタル信号に変換され、音声信号切り換えスイッチ１０６２を介して、音声信号圧縮回路１０８に入力される。音声信号圧縮回路１０８で生成した圧縮符号化音声データは、システムエンコーダ１０９に入力される。
【００４０】
システムエンコーダ１０９に入力された圧縮符号化映像データおよび圧縮符号化音声データは、それぞれパケット化および多重化され、一本のシステムストリームに変換された後、バッファ制御回路１１０を介して記録用バッファ１１１ａに入力される。
記録用バッファ１１１ａに格納されたシステムストリームは、暗号回路１２２１により暗号化され、再度記録用バッファ１１１ａに格納され、記録媒体１１３ａに記録される。
また、制御回路１２１は、実施例１と同様に、例えば記録が終了した時点で、情報管理回路１２２に対し、その記録媒体の媒体ＩＤと、例えばその時刻やファイルシステムのディレクトリ情報などの記録履歴の組を記憶させるとともに、記録媒体１１３ａにも同じ記録履歴を記録する。
【００４１】
制御回路１２１は、記録媒体１１３ａから読み出した記録履歴と、情報管理回路１１２から読み出した記録履歴とを比較し、一致している場合には、その後の再生要求に対して、その記録媒体１１３ａからのシステムストリームの再生動作を許可する。
【００４２】
記録媒体１１３ａから再生されたシステムストリームは、再生用バッファ１１２ａに格納され、復号回路１２２２にて暗号が復号化され、システムデコーダに供給される。
システムデコーダ１１４に入力されたシステムストリームは、圧縮符号化映像データ、および圧縮符号化音声データのパケットにそれぞれ分離され、各々のパケットから取り出した圧縮符号化映像データは映像信号伸張回路１１５に、また圧縮符号化音声データは音声信号伸張回路１１６に入力される。伸張が施された映像信号は映像信号Ｄ／Ａコンバータ１１７に、音声信号は音声信号Ｄ／Ａコンバータ１１８に入力され、アナログ信号に変換され、映像信号出力端子１１９、音声信号出力端子１２０から出力される。
【００４３】
記録媒体１１３ｂについても上述と同様の処理がなされ、記録再生されるシステムストリームが、暗号回路１２３１にて暗号化され、復号回路１２３２にて暗号が復号化される。
【００４４】
また、記録媒体１１３ａから記録媒体１１３ｂへのダビング、移動も考えられる。
その方法として、一つの例は、記録媒体１１３ａから再生したシステムストリームがバッファ制御回路１１０を介して再生用バッファ１１２ａに格納され、復号回路１２２２で復号され再度再生用バッファ１１２ａに格納されたシステムストリームが、バッファ制御回路１１０を介して、記録用バッファ１１１ｂに格納された後、暗号回路１２３１で暗号化され、再度記録用バッファ１１１ｂに格納された後、バッファ制御回路１１０を介して記録媒体１１３ｂに記録される方法があげられる。
【００４５】
また、別の方法として、記録媒体１１３ａから再生されたシステムストリームを復号して、再生用バッファ１１２ａからシステムデコーダ１１４に、バッファ制御回路１１０により供給し、映像信号および音声信号を伸張した後、映像信号切り換えスイッチ１０６１、音声信号切り換えスイッチ１０６２により再度映像信号圧縮回路１０７、音声信号圧縮回路１０８にて圧縮符号化し、システムエンコーダ１０９にて得られたシステムストリームをバッファ制御回路１１０により記録用バッファ１１１ｂに格納、暗号回路１２３１で暗号化の後、記録媒体１１３ｂに記録する方法もある。
【００４６】
この場合、映像信号圧縮回路１０７、音声信号圧縮回路１０８にて、記録媒体１１３ａから再生したシステムストリームのビットレートより低いビットレートで圧縮符号化することにより、映像信号、音声信号の品質は劣化するが、記録媒体１１３ｂの記録領域を有効に確保できる。
【００４７】
なお、記録用バッファ１１１ａ、再生用バッファ１１２ａ、記録用バッファ１１１ｂ、および再生用バッファ１１２ｂは、例えば半導体メモリで構成され、それぞれ別個の半導体チップで構成してもよいし、同一の半導体チップ上で、その記憶領域を分けて実現してもよい。
【００４８】
また、暗号回路１２２１、復号回路１２２２と、暗号回路１２３１、復号回路１２３２の暗号アルゴリズムは、異なっていてもよい。また、暗号復号のための鍵としては、記録媒体の媒体ＩＤを鍵生成のための情報の一つとすることで、安全性を高めることが可能になる。
【００４９】
また、図示しないが、記録再生装置１００の他の記録再生装置と識別する装置ＩＤを、鍵生成のための情報の一つとすることで、再生可能な機器を限定でき、さらに安全性を高めることが可能になる。
【００５０】
以上のように、情報管理回路１２２に対し、その記録媒体の媒体ＩＤと、記録履歴の組を記憶させるとともに、記録媒体１１３ａにも同じ記録履歴を記録し、記録媒体１１３ａからシステムストリームを再生する際には、まず、記録媒体１１３ａからその媒体ＩＤと、記録履歴を読み出すとともに、情報管理回路１２２から、記録媒体１１３ａから読み出した媒体ＩＤから参照して記録履歴を読み出して、記録媒体１１３ａから読み出した記録履歴と、情報管理回路１１２から読み出した記録履歴とを比較し、一致している場合には、その後の再生要求に対して、その記録媒体１１３ａからのシステムストリームの再生動作を許可し、一致していない場合には、その記録媒体１１３からの再生動作を行わないようにした。従って、記録媒体１１３ｂへの不正なダビングを阻止でき、ディジタル情報の著作権保護が可能になる。
【００５１】
以上の例では、記録媒体１１３ａについての、媒体ＩＤと、記録履歴の扱いについて述べたが、記録媒体１１３ｂについても同様の方法で同様の効果が得られる。
【００５２】
また、ディジタル放送信号入力端子１４１、ディジタルチューナ１４２、切り換えスイッチ１３３、例えば固定式のハードディスクである記録媒体１１３ｃを付加した構成の場合、ディジタル放送信号入力端子１４１からは、衛星、ケーブル等から放送されたディジタル放送信号が入力され、ディジタルチューナ１４２において復調、選局処理がなされシステムストリームとして、切り換えスイッチ１３３を介して、記録媒体１１３ａ、記録媒体１１３ｂ、および記録媒体１１３ｃに記録されるが、同様に著作権保護が可能であることは言うまでもない。
【実施例４】
【００５３】
これまでの実施例では、第一の記録媒体を識別する媒体ＩＤと記録履歴を、記録再生装置の情報管理１２２に記録するとともに、第一の記録媒体にも記録履歴を記録しておき、再生しようとする際、第一の記録媒体に記録された記録履歴と情報管理１２２に記録された記録履歴が一致している場合に再生動作を許可し、一致していない場合に再生動作を許可しないようにしている。このようにすることによって、第一の記録媒体に記録されたコンテンツを他の記録再生装置で第二の記録媒体にコピーした場合、第一の記録媒体に記録された記録履歴が情報管理１２２に記録された記録履歴と異なるため、再生動作ができなくなり、不正なコピーを防止することが可能となる。
【００５４】
しかしながら、媒体ＩＤを暗号復号の鍵生成のために用いた実施例３を除き、第一の記録媒体から第二の記録媒体へコンテンツのコピーを行なった場合には、第二の記録媒体を用いて、再生動作を行うとき、不正にコピーされたときであっても、その再生動作を防ぐことができず、著作権を十分に保護することができないときがある。
【００５５】
そこで、第一の記録媒体から第二の記録媒体へコンテンツをコピーした場合に、第二の記録媒体を用いて、コンテンツを再生しようとするときであっても、媒体ＩＤを暗号復号のために用いなくとも、再生動作を防ぐことができるようにする実施例を、以下、説明する。
【００５６】
本実施例で用いる装置の構成は、図１と同様であるが、記録媒体１１３及び情報管理１２２にコンテンツを識別するコンテンツＩＤを記録するようにする。本実施例での装置の動作を図５のフローチャートを用いて説明する。
【００５７】
記録媒体１１３に記録されたコンテンツを再生しようとする際、記録媒体１１３に記録されたコンテンツＩＤと装置の情報管理１２２に記録されたコンテンツＩＤを比較し（Ｓ６０１）、一致しなかった場合（ＮＯ）、該コンテンツの再生を許可する。一致した場合（ＹＥＳ）、記録媒体１１３の媒体ＩＤと情報管理１２２に記録された媒体ＩＤとを比較する（Ｓ６０２）。比較結果、一致した場合（ＹＥＳ）、再生動作を許可する。一致しなかった場合（ＮＯ）、記録媒体１１３に記録された記録履歴と情報管理１２２に記録された記録履歴とを比較する（Ｓ６０３）。記録履歴のコンテンツを記録した記録時間が一致した場合（ＹＥＳ）、不正にコピーされたものと判断し、再生動作を許可しない。一方、一致しなかった場合（ＮＯ）、再生動作を許可する。この場合（Ｓ６０３のＮＯ）、適法にコンテンツを記録された記録媒体が複数存在するときがあり、そのようなときにまで、不必要に再生が制限されないようにすることができる。
【００５８】
以上のような動作により、次のような効果を生じる。例えば、着脱可能な第一のハードディスクから、着脱可能な異なる第二のハードディスクへコンテンツをコピーした場合でも、第二のハードディスクには、第一のハードディスクへコンテンツが記録された記録時間もコピーされている。従って、Ｓ６０１でＹＥＳ→Ｓ６０２でＮＯ→Ｓ６０３でＹＥＳにより、再生動作が許可されず、不正にデッドコピーされたものからは再生できないようにすることができる。
【００５９】
また、上記フローチャートの順番に限らず、Ｓ６０１とＳ６０２のステップを逆にしたり、Ｓ６０２とＳ６０３のステップを逆にしても、本実施例の効果を同様に受けることができるのは言うまでもない。
【００６０】
これまでの実施例４の記録再生装置を用いれば、第一の記録媒体から第二の記録媒体へコンテンツのコピーを行なった場合、第二の記録媒体を用いた再生動作を防ぐことができる。
【００６１】
しかしながら、これまでの実施例４の記録再生装置で第二の記録媒体を用いた再生動作を防ぐことができるのは、第一の記録媒体の媒体ＩＤ、コンテンツＩＤ及び記録履歴を情報管理部１２２に記録している場合である。そこで、他の記録再生装置でも第二の記録媒体を用いた再生動作を防ぐため、記録再生装置に他の記録再生装置と通信可能にするための通信部を新たに設ける。このようにして、情報管理部１２２に記録された記録ＩＤ、コンテンツＩＤ及び記録履歴の情報を共有化すれば、他の記録再生装置でも、第二の記録媒体を用いた再生動作を防ぐことが可能となり、より著作権保護に適したものとなる。
【００６２】
なお、通信部を設けなくとも、実施例３で述べたように媒体ＩＤをコンテンツの暗号復号の鍵生成のために用いれば、第二の記録媒体を用いた再生動作を防ぐことができる。
【００６３】
また、実施例１〜３において、装着された記録媒体が情報管理部１２２に未登録の場合、すなわち、情報管理部１２２に媒体ＩＤが記録されていない場合には、その記録媒体に記録されているコンテンツを再生できないように制御しても良い。このようにしても、上述の実施例４で述べた第二の記録媒体を用いた再生動作を防ぐことができる。
【００６４】
ただし、適法に販売された再生専用のＤＶＤ−ＲＯＭなどに記録されたコンテンツまでも、再生できないようにしないため、記録媒体の種類に応じて、未登録の記録媒体の再生動作の許可・不許可を判断するようにしても良い。例えば、ＤＶＤ−ＲＯＭの場合には、再生動作を許可し、ＤＶＤ−Ｒ、ＤＶＤ−ＲＷ及びＤＶＤ−ＲＡＭの場合には、再生動作を許可しないようにする。
【００６５】
以上の実施例では、媒体ＩＤは予め割り当てられたものであったが、記録再生装置で最初にコンテンツを記録する際に媒体ＩＤを記録するようにしても良い。媒体ＩＤが予め割り当てられていない場合や、割り当てられていた場合でも、記録再生装置によって、読み取ることができないときもあり、それらの場合にも実施例を適用可能となる。
【００６６】
また、映像信号と音声信号の双方を記録再生する記録再生装置について説明したが、これに限定するものではなく、映像信号のみ、あるいは音声信号のみを記録再生する記録再生装置にも適用できる。また、記録媒体としては特に限定するものではなく、半導体メモリで構成されるものでもよい。
【００６７】
また、上記実施例を組合わせても本願発明の実施例の一つであることは言うまでもない。
【図面の簡単な説明】
【００６８】
【図１】本発明によるコンテンツ記録再生装置の一実施形態を示すブロック図である。
【図２】情報管理回路１２２で管理される情報の一実施形態を示す図である。
【図３】本発明に係る記録再生装置の一実施例のブロック構成を示す図である。
【図４】本発明に係る記録再生装置の他の実施例のブロック構成を示す図である。
【図５】本発明によるコンテンツ記録再生装置の動作の一実施形態を示すフローチャートである。
【符号の説明】
【００６９】
１…記録再生装置、１０３…映像信号Ａ／Ｄコンバータ、１０４…音声信号Ａ／Ｄコンバータ、１０５…コピー制限情報検出回路、１０６１…映像信号切り換えスイッチ、１０６２…音声信号切り換えスイッチ、１０７…映像信号圧縮回路、１０８…音声信号圧縮回路、１０９…システムエンコーダ、１１０…バッファ制御回路、１１１…記録用バッファ、１１１ａ…記録用バッファ、１１１ｂ…記録用バッファ、１１２…再生用バッファ、１１２ａ…再生用バッファ、１１２ｂ…再生用バッファ、１１３…記録媒体、１１３１…媒体ＩＤ、１１３ａ…記録媒体、１１３ｂ…記録媒体、１１３ｃ…記録媒体、１１４…システムデコーダ、１１５…映像信号伸張回路、１１６…音声信号伸張回路、１１７…映像信号Ｄ／Ａコンバータ、１１８…音声信号Ｄ／Ａコンバータ。１２１…制御回路、１２２…情報管理回路、１２２１…暗号回路、１２２２…復号回路、１２３１…暗号回路、１２３２…復号回路、１４１…コンテンツ入力端子、１４１…ディジタル放送信号入力端子、１４２…ディジタルチューナ。
【図１】
2006024296.tif 000003
【図２】
2006024296.tif 000004
【図３】
2006024296.tif 000005
【図４】
2006024296.tif 000006
【図５】
2006024296.tif 000007